(57)【特許請求の範囲】
【請求項１】
商品情報処理装置が生成した、ユーザが購入しようとしている商品に関する購入商品情報と、前記ユーザのクレジットカードのカード情報とを、前記ユーザの端末装置から受信する第１の受信部と、
前記第１の受信部が受信した前記カード情報に基づいて、前記クレジットカードの信用承認を行う信用承認部と、
前記信用承認部の信用承認結果に基づいて、前記商品の決済を行うための決済情報を発行する決済情報発行部と、
前記決済情報発行部が発行した前記決済情報と、前記第１の受信部が受信した前記購入商品情報とを対応付けて記憶する決済情報記憶部と、
前記決済情報発行部の発行した前記決済情報を前記ユーザの前記端末装置に送信する送信部と、
前記ユーザの前記端末装置から送信され、前記商品情報処理装置により転送される前記購入商品情報と前記決済情報とを受信する第２の受信部と、
前記決済情報記憶部に記憶された前記購入商品情報および前記決済情報と、前記第２の受信部によって受信された前記購入商品情報および前記決済情報とに基づいて、前記ユーザの前記商品の決済認証を行う決済認証部と、
を有することを特徴とする決済情報処理装置。
【請求項２】
請求項１に記載の決済情報処理装置であって、
前記決済認証部は、前記第２の受信部によって受信された前記購入商品情報および前記決済情報が対応付けられて前記決済情報記憶部に記憶されているか否か判定し、前記ユーザの前記商品の決済認証を行う、
ことを特徴とする決済情報処理装置。
【請求項３】
請求項２に記載の決済情報処理装置であって、
前記決済情報記憶部には、さらに前記決済情報が発行された日付が記憶され、
前記決済認証部は、前記第２の受信部によって前記決済情報が受信された日が、前記決済情報記憶部に記憶された日付より所定の日にちを経過していた場合、前記商品の決済は不正当であると判定する、
ことを特徴とする決済情報処理装置。
【請求項４】
請求項１〜３のいずれか一項に記載の決済情報処理装置であって、
前記ユーザの前記端末装置が、前記商品情報処理装置が生成した前記購入商品情報を表示している画面において、前記画面上に表示された所定のボタンが押下された場合、前記ユーザの前記カード情報を入力するための入力画面の画像データを前記端末装置に送信する画像データ送信部、
をさらに有することを特徴とする決済情報処理装置。
【請求項５】
請求項４に記載の決済情報処理装置であって、
前記第１の受信部は、前記端末装置の前記入力画面に入力された前記カード情報を受信する、
ことを特徴とする決済情報処理装置。
【請求項６】
請求項４に記載の決済情報処理装置において、
前記送信部が前記端末装置に送信した前記決済情報は、前記端末装置に表示される、
ことを特徴とする決済情報処理装置。
【請求項７】
請求項１〜６のいずれか一項に記載の決済情報処理装置であって、  前記決済情報は、１度限りにおいて有効な情報である、
ことを特徴とする決済情報処理装置。
【請求項８】
請求項１〜７のいずれか一項に記載の決済情報処理装置であって、
前記カード情報は、前記クレジットカードのＰＡＮ情報および有効期限を含む、
ことを特徴とする決済情報処理装置。
【請求項９】
請求項１〜８のいずれか一項に記載の決済情報処理装置であって、
前記購入商品情報は、前記商品を識別する情報および前記商品を販売する店舗を識別する情報を含む、
ことを特徴とする決済情報処理装置。
【請求項１０】
決済情報処理装置の決済方法において、
商品情報処理装置が生成した、ユーザが購入しようとしている商品に関する購入商品情報と、前記ユーザのクレジットカードのカード情報とを、前記ユーザの端末装置から受信する第１の受信ステップと、
前記第１の受信ステップが受信した前記カード情報に基づいて、前記クレジットカードの信用承認を行う信用承認ステップと、
前記信用承認ステップの信用承認結果に基づいて、前記商品の決済を行うための決済情報を発行する決済情報発行ステップと、
前記決済情報発行ステップが発行した前記決済情報と、前記第１の受信ステップが受信した前記購入商品情報とを対応付けて記憶する決済情報記憶ステップと、
前記決済情報発行ステップの発行した前記決済情報を前記ユーザの前記端末装置に送信する送信部ステップと、
前記ユーザの前記端末装置から送信され、前記商品情報処理装置により転送される前記購入商品情報と前記決済情報とを受信する第２の受信ステップと、
前記決済情報記憶ステップにて記憶された前記購入商品情報および前記決済情報と、前記第２の受信ステップによって受信された前記購入商品情報および前記決済情報とに基づいて、前記ユーザの前記商品の決済認証を行う決済認証ステップと、
を有することを特徴とする決済方法。
【請求項１１】
決済情報処理装置のプログラムであって、
商品情報処理装置が生成した、ユーザが購入しようとしている商品に関する購入商品情報と、前記ユーザのクレジットカードのカード情報とを、前記ユーザの端末装置から受信する第１の受信部と、
前記第１の受信部が受信した前記カード情報に基づいて、前記クレジットカードの信用承認を行う信用承認部と、
前記信用承認部の信用承認結果に基づいて、前記商品の決済を行うための決済情報を発行する決済情報発行部と、
前記決済情報発行部が発行した前記決済情報と、前記第１の受信部が受信した前記購入商品情報とを対応付けて記憶する決済情報記憶部と、
前記決済情報発行部の発行した前記決済情報を前記ユーザの前記端末装置に送信する送信部と、
前記ユーザの前記端末装置から送信され、前記商品情報処理装置により転送される前記購入商品情報と前記決済情報とを受信する第２の受信部と、
前記決済情報記憶部に記憶された前記購入商品情報および前記決済情報と、前記第２の受信部によって受信された前記購入商品情報および前記決済情報とに基づいて、前記ユーザの前記商品の決済認証を行う決済認証部と、
として前記決済情報処理装置を機能させることを特徴とするプログラム。
【請求項１２】
ユーザが購入しようとして選択した商品の情報を前記ユーザの端末装置から受信する第１の受信部と、
前記第１の受信部の前記商品の情報の受信に応じて、前記商品に関する購入商品情報を生成する購入商品情報生成部と、
前記購入商品情報生成部が生成した前記購入商品情報を前記ユーザの前記端末装置に送信するとともに、前記ユーザの端末装置から受信した前記購入商品情報と決済情報とを決済情報処理装置に転送する第１の送信部と、
を有する商品情報処理装置と、
前記購入商品情報と、前記ユーザのクレジットカードのカード情報とを、前記ユーザの端末装置から受信する第２の受信部と、
前記第２の受信部が受信した前記カード情報に基づいて、前記クレジットカードの信用承認を行う信用承認部と、
前記信用承認部の信用承認結果に基づいて、前記商品の決済を行うための前記決済情報を発行する決済情報発行部と、
前記決済情報発行部が発行した前記決済情報と、前記第２の受信部が受信した前記購入商品情報とを対応付けて記憶する決済情報記憶部と、
前記決済情報発行部の発行した前記決済情報を前記ユーザの前記端末装置に送信する第２の送信部と、
前記ユーザの前記端末装置から送信され、前記商品情報処理装置により転送される前記購入商品情報と前記決済情報とを受信する第３の受信部と、
前記決済情報記憶部に記憶された前記購入商品情報および前記決済情報と、前記第３の受信部によって受信された前記購入商品情報および前記決済情報とに基づいて、前記ユーザの前記商品の決済認証を行う決済認証部と、
を有する前記決済情報処理装置と、
を有することを特徴とする決済システム。
【発明の詳細な説明】
【技術分野】
【０００１】
本発明は、決済情報処理装置、決済方法、プログラム、および決済システムに関するものである。
【背景技術】
【０００２】
例えば、クレジットカードを用いたインターネット決済では、ユーザは、ＥＣ（Electronic Commerce）店舗のウェブサイトに対し、ＰＡＮ（Primary Account Number）情報やカード有効期限などのカード情報を入力する。入力されたカード情報は、店舗のウェブサイトからクレジットカード会社に送信され、オーソリゼーション（信用承認）が行われる。
【０００３】
なお、特許文献１には、「通信手段を介して互いに各種情報の授受を行なう顧客端末と商品販売者のバーチャルショップが開設された通信販売会社のサーバコンピュータとクレジットカード発行会社の決済コンピュータとを有し、顧客がクレジットカードを利用して商品を購入する通信販売システムであって、顧客は、クレジットカード番号を第一カード番号と第二カード番号とに分割する２分割手段を有し、前記顧客端末は、商品を注文するとき前記第一カード番号を入力して前記通信販売会社に通知する手段と、商品を受け取ったとき前記第二カード番号を入力して前記通信販売会社に通知する手段とを有することを特徴とする通信販売システム」が開示されている。
【先行技術文献】
【特許文献】
【０００４】
【特許文献１】特開２００４−３０１２６号公報
【発明の概要】
【発明が解決しようとする課題】
【０００５】
このように、ユーザのカード情報は、ＥＣ店舗等の第三者のウェブサイトからクレジットカード会社に送信される。
【０００６】
そのため、ユーザのカード情報は、ユーザおよびクレジットカード会社以外のＥＣ店舗等の第三者のデータベースに保有されることがあり、例えば、カード情報が流出して、悪用される可能性がある。
【０００７】
そこで本発明は、ユーザとクレジットカード会社以外の第三者に、ユーザのクレジットカードのカード情報が保有されないよう商品取引を可能にし、カード情報が悪用されるのを防止する技術を提供することを目的とする。
【課題を解決するための手段】
【０００８】
本願は、上記課題の少なくとも一部を解決する手段を複数含んでいるが、その例を挙げるならば、以下の通りである。上記課題を解決すべく、本発明に係る決済情報処理装置は、商品情報処理装置が生成した、ユーザが購入しようとしている商品に関する購入商品情報と、前記ユーザのクレジットカードのカード情報とを、前記ユーザの端末装置から受信する第１の受信部と、前記第１の受信部が受信した前記カード情報に基づいて、前記クレジットカードの信用承認を行う信用承認部と、前記信用承認部の信用承認結果に基づいて、前記商品の決済を行うための決済情報を発行する決済情報発行部と、前記決済情報発行部が発行した前記決済情報と、前記第１の受信部が受信した前記購入商品情報とを対応付けて記憶する決済情報記憶部と、前記決済情報発行部の発行した前記決済情報を前記ユーザの前記端末装置に送信する送信部と、前記ユーザの前記端末装置から送信され、前記商品情報処理装置により転送される前記購入商品情報と前記決済情報とを受信する第２の受信部と、前記決済情報記憶部に記憶された前記購入商品情報および前記決済情報と、前記第２の受信部によって受信された前記購入商品情報および前記決済情報とに基づいて、前記ユーザの前記商品の決済認証を行う決済認証部と、を有することを特徴とする。
【０００９】
また、上記の決済情報処理装置においては、前記決済認証部は、前記第２の受信部によって受信された前記購入商品情報および前記決済情報が対応付けられて前記決済情報記憶部に記憶されているか否か判定し、前記ユーザの前記商品の決済認証を行う、ことを特徴とするものであってもよい。
【００１０】
また、上記の決済情報処理装置においては、前記決済情報記憶部には、さらに前記決済情報が発行された日付が記憶され、前記決済認証部は、前記第２の受信部によって前記決済情報が受信された日が、前記決済情報記憶部に記憶された日付より所定の日にちを経過していた場合、前記商品の決済は不正当であると判定する、ことを特徴とするものであってもよい。
【００１１】
また、上記の決済情報処理装置においては、前記ユーザの前記端末装置が、前記商品情報処理装置が生成した前記購入商品情報を表示している画面において、前記画面上に表示された所定のボタンが押下された場合、前記ユーザの前記カード情報を入力するための入力画面の画像データを前記端末装置に送信する画像データ送信部、をさらに有することを特徴とするものであってもよい。
【００１２】
また、上記の決済情報処理装置においては、前記第１の受信部は、前記端末装置の前記入力画面に入力された前記カード情報を受信する、ことを特徴とするものであってもよい。
【００１３】
また、上記の決済情報処理装置においては、前記送信部が前記端末装置に送信した前記決済情報は、前記端末装置に表示される、ことを特徴とするものであってもよい。
【００１４】
また、上記の決済情報処理装置においては、前記決済情報は、１度限りにおいて有効な情報であることを特徴とするものであってもよい。
【００１５】
また、上記の決済情報処理装置においては、前記カード情報は、前記クレジットカードのＰＡＮ情報および有効期限を含む、ことを特徴とするものであってもよい。
【００１６】
また、上記の決済情報処理装置においては、前記購入商品情報は、前記商品を識別する情報および前記商品を販売する店舗を識別する情報を含む、ことを特徴とするものであってもよい。
【００１７】
また、本発明に係る決済情報処理装置の決済方法は、商品情報処理装置が生成した、ユーザが購入しようとしている商品に関する購入商品情報と、前記ユーザのクレジットカードのカード情報とを、前記ユーザの端末装置から受信する第１の受信ステップと、前記第１の受信ステップが受信した前記カード情報に基づいて、前記クレジットカードの信用承認を行う信用承認ステップと、前記信用承認ステップの信用承認結果に基づいて、前記商品の決済を行うための決済情報を発行する決済情報発行ステップと、前記決済情報発行ステップが発行した前記決済情報と、前記第１の受信ステップが受信した前記購入商品情報とを対応付けて記憶する決済情報記憶ステップと、前記決済情報発行ステップの発行した前記決済情報を前記ユーザの前記端末装置に送信する送信部ステップと、前記ユーザの前記端末装置から送信され、前記商品情報処理装置により転送される前記購入商品情報と前記決済情報とを受信する第２の受信ステップと、前記決済情報記憶ステップにて記憶された前記購入商品情報および前記決済情報と、前記第２の受信ステップによって受信された前記購入商品情報および前記決済情報とに基づいて、前記ユーザの前記商品の決済認証を行う決済認証ステップと、を含むことを特徴とする。
【００１８】
また、本発明に係る決済情報処理装置のプログラムは、商品情報処理装置が生成した、ユーザが購入しようとしている商品に関する購入商品情報と、前記ユーザのクレジットカードのカード情報とを、前記ユーザの端末装置から受信する第１の受信部と、前記第１の受信部が受信した前記カード情報に基づいて、前記クレジットカードの信用承認を行う信用承認部と、前記信用承認部の信用承認結果に基づいて、前記商品の決済を行うための決済情報を発行する決済情報発行部と、前記決済情報発行部が発行した前記決済情報と、前記第１の受信部が受信した前記購入商品情報とを対応付けて記憶する決済情報記憶部と、前記決済情報発行部の発行した前記決済情報を前記ユーザの前記端末装置に送信する送信部と、前記ユーザの前記端末装置から送信され、前記商品情報処理装置により転送される前記購入商品情報と前記決済情報とを受信する第２の受信部と、前記決済情報記憶部に記憶された前記購入商品情報および前記決済情報と、前記第２の受信部によって受信された前記購入商品情報および前記決済情報とに基づいて、前記ユーザの前記商品の決済認証を行う決済認証部と、として前記決済情報処理装置を機能させることを特徴とする。
【００１９】
また、本発明に係る決済システムは、ユーザが購入しようとして選択した商品の情報を前記ユーザの端末装置から受信する第１の受信部と、前記第１の受信部の前記商品の情報の受信に応じて、前記商品に関する購入商品情報を生成する購入商品情報生成部と、前記購入商品情報生成部が生成した前記購入商品情報を前記ユーザの前記端末装置に送信するとともに、前記ユーザの端末装置から受信した前記購入商品情報と決済情報とを決済情報処理装置に転送する第１の送信部と、を有する商品情報処理装置と、前記購入商品情報と、前記ユーザのクレジットカードのカード情報とを、前記ユーザの端末装置から受信する第２の受信部と、前記第２の受信部が受信した前記カード情報に基づいて、前記クレジットカードの信用承認を行う信用承認部と、前記信用承認部の信用承認結果に基づいて、前記商品の決済を行うための前記決済情報を発行する決済情報発行部と、前記決済情報発行部が発行した前記決済情報と、前記第２の受信部が受信した前記購入商品情報とを対応付けて記憶する決済情報記憶部と、前記決済情報発行部の発行した前記決済情報を前記ユーザの前記端末装置に送信する第２の送信部と、前記ユーザの前記端末装置から送信され、前記商品情報処理装置により転送される前記購入商品情報と前記決済情報とを受信する第３の受信部と、前記決済情報記憶部に記憶された前記購入商品情報および前記決済情報と、前記第３の受信部によって受信された前記購入商品情報および前記決済情報とに基づいて、前記ユーザの前記商品の決済認証を行う決済認証部と、を有する前記決済情報処理装置と、を含むことを特徴とする。
【発明の効果】
【００２０】
本発明によれば、カード情報の悪用を防止することができる。上記した以外の課題、構成、および効果は、以下の実施形態の説明により明らかにされる。
【図面の簡単な説明】
【００２１】
【図１】本発明の第１の実施の形態に係る決済システムの構成例を示した図である。
【図２】決済システムの処理の流れの例を示したシーケンス図である。
【図３】決済システムの処理の流れの例を示したシーケンス図である。
【図４】端末装置３の商品選択画面例を示した図である。
【図５】端末装置３の購入商品情報の画面例を示した図である。
【図６】端末装置３の信用承認要求の画面例を示した図である。
【図７】端末装置３の決済情報表示の画面例を示した図である。
【図８】端末装置３の決済情報の入力画面例を示した図である。
【図９】端末装置３の商品決済画面例を示した図である。
【図１０】情報処理装置１の機能ブロックの一例を示した図である。
【図１１】商品情報記憶部２５のデータ構成例を示した図である。
【図１２】管理情報記憶部２６のデータ構成例を示した図である。
【図１３】情報処理装置２の機能ブロックの一例を示した図である。
【図１４】顧客情報記憶部３７のデータ構成例を示した図である。
【図１５】決済情報記憶部３８のデータ構成例を示した図である。
【図１６】情報処理装置１の購入商品情報の生成動作例を示したフローチャートである。
【図１７】情報処理装置１の決済要求情報の転送、売上登録、および商品出荷処理の動作例を示したフローチャートである。
【図１８】情報処理装置２の決済情報発行処理例を示したフローチャートである。
【図１９】情報処理装置２の決済処理例を示したフローチャートである。
【図２０】情報処理装置のハードウェア構成例を示した図である。
【図２１】第２の実施の形態に係る決済情報記憶部のデータ構成例を示した図である。
【図２２】第３の実施の形態に係るユーザ登録画面例を示した図である。
【図２３】端末装置３の購入商品情報の画面例を示した図である。
【図２４】端末装置３のカード情報入力画面例を示した図である。
【図２５】端末装置３の決済情報の通知画面例を示した図である。
【発明を実施するための形態】
【００２２】
［第１の実施の形態］
図１は、本発明の第１の実施の形態に係る決済システムの構成例を示した図である。図１に示すように、決済システムは、情報処理装置１，２と、端末装置３と、ネットワーク４と、カードネットワーク５と、を有している。
【００２３】
情報処理装置１は、例えば、サーバである。情報処理装置１は、例えば、インターネットを利用して商品販売を行う店舗（例えば、ＥＣ店舗）によって管理されている。
【００２４】
情報処理装置２は、例えば、サーバである。情報処理装置２は、クレジットカード会社によって管理されている。
【００２５】
端末装置３は、例えば、パーソナルコンピュータやタブレット端末などである。端末装置３は、例えば、情報処理装置１を管理するＥＣ店舗から、商品を購入するユーザによって操作される。ユーザは、例えば、情報処理装置２を管理するクレジットカード会社のクレジットカードを所有し、そのクレジットカードを用いて、ＥＣ店舗から商品を購入することができる。
【００２６】
ネットワーク４は、例えば、インターネットである。ネットワーク４は、情報処理装置１，２と、端末装置３とを相互に接続している。すなわち、情報処理装置１，２および端末装置３は、ネットワーク４を介して、通信を行うことができる。
【００２７】
カードネットワーク５は、情報処理装置１と情報処理装置２とを接続するネットワークである。情報処理装置１，２は、カードネットワーク５を用いて、例えば、ＣＡＦＩＳ（登録商標：Credit And Finance Information System）により通信を行い、ユーザの利用限度額やカードが不正使用されていないか等の有効性の確認を行うことができる。
【００２８】
以下で詳細に説明するが、図１の決済システムでは、クレジットカード会社が管理する情報処理装置２は、ＥＣ店舗から商品を購入しようとしているユーザに対し、ワンタイムの決済情報（１度限りの決済情報）を発行する。ユーザは、情報処理装置２から発行されるワンタイムの決済情報を用いて、商品の決済を行う。
【００２９】
図２、図３は、決済システムの処理の流れの例を示したシーケンス図である。図２、図３には、情報処理装置１と、情報処理装置２と、端末装置３との間の決済処理のシーケンスが示してある。図２、図３に示すシーケンスは、図２、図３に示す丸で囲った「Ａ」において、処理が続いている。決済システムは、例えば、ユーザがＥＣ店舗から商品を選んで購入しようとするとき、図２、図３に示すシーケンスの処理を実行する。
【００３０】
まず、端末装置３は、ユーザから、ＥＣ店舗が管理する情報処理装置１へのログイン操作を受付ける（ステップＳ１）。これにより、端末装置３は、ＥＣ店舗が管理する情報処理装置１へのアクセスが可能となる。
【００３１】
次に、情報処理装置１は、端末装置３からのログインを受付けると、ショッピング画面の画面データを端末装置３に送信する（ステップＳ２）。
【００３２】
次に、端末装置３は、情報処理装置１から送信されたショッピング画面の画面データをディスプレイに表示する（ステップＳ３）。これにより、端末装置３のユーザは、情報処理装置１を管理するＥＣ店舗の商品を閲覧することができる。そして、ユーザは、購入したい商品を選ぶことができる。
【００３３】
次に、端末装置３は、ユーザから、購入したい商品の情報を受付ける（ステップＳ１１）。
【００３４】
次に、端末装置３は、ステップＳ１１にて、ユーザから、購入したい商品の情報を受付けると、商品購入要求を情報処理装置１に送信する（ステップＳ１２）。端末装置３は、商品購入要求を送信する際、ユーザが選択した商品（ユーザが購入しようとしている商品）の情報も情報処理装置１に送信する。
【００３５】
次に、情報処理装置１は、端末装置３から商品購入要求を受信する（ステップＳ１３）。その際、情報処理装置１は、端末装置３から送信された、ユーザが選択した商品の情報も受信する。
【００３６】
次に、情報処理装置１は、ステップＳ１３にて、ユーザが選択した商品の情報を受信すると、受信した商品に関する購入商品情報を生成する（ステップＳ１４）。そして、情報処理装置１は、生成した購入商品情報を端末装置３に送信する。
【００３７】
購入商品情報は、以下でも説明するが、ユーザがＥＣ店舗から購入しようとしている商品に関する情報を有している。例えば、購入商品情報には、ユーザが購入しようとしている商品を識別する情報、その商品の金額、およびその商品を販売するＥＣ店舗を識別する情報が含まれている。
【００３８】
次に、端末装置３は、情報処理装置１から送信される購入商品情報を受信する（ステップＳ１５）。
【００３９】
次に、端末装置３は、ステップＳ１５にて受信した購入商品情報をディスプレイに表示する（ステップＳ１６）。
【００４０】
次に、端末装置３は、ユーザから、クレジットカード会社が管理する情報処理装置２へのログイン操作を受付ける（ステップＳ２１）。これにより、端末装置３は、クレジットカード会社が管理する情報処理装置２へのアクセスが可能となる。
【００４１】
なお、端末装置３のディスプレイには、ステップＳ１６の処理によって、購入商品情報の画面（ＥＣ店舗のウェブサイト）が表示されている。ユーザは、ＥＣ店舗のウェブサイトをディスプレイに表示させたまま、クレジットカード会社の情報処理装置２にログインし、ＥＣ店舗のウェブサイトと、クレジットカード会社のウェブサイトとをディスプレイに表示する。または、ユーザは、ＥＣ店舗のウェブサイトを閉じて、情報処理装置２にログインし、クレジットカード会社のウェブサイトのみをディスプレイに表示するようにしてもよい。この場合、ユーザは、ステップＳ１６にて、端末装置３のディスプレイに表示された購入商品情報を控えておく。
【００４２】
次に、情報処理装置２は、端末装置３からのログインを受付けると、信用承認要求画面の画面データを端末装置３に送信する（ステップＳ２２）。
【００４３】
次に、端末装置３は、情報処理装置２から送信された信用承認要求画面の画面データをディスプレイに表示する（ステップＳ２３）。これにより、端末装置３のユーザは、情報処理装置２を管理するクレジットカード会社に対し、ユーザが所有するクレジットカードの信用承認の要求を行うことができる。そして、ユーザは、ＥＣ店舗から購入したい商品の決済を行うための決済情報の発行を、情報処理装置２から受けることができる。
【００４４】
次に、端末装置３は、ユーザから、信用承認要求を受付ける（ステップＳ３１）。その際、端末装置３は、ユーザから、クレジットカードのカード情報と、ステップＳ１６にて、ディスプレイに表示された購入商品情報とを受付ける。クレジットカードのカード情報には、例えば、ＰＡＮ情報およびクレジットカードの有効期限が含まれる。
【００４５】
次に、端末装置３は、ステップＳ３１にて、ユーザから、信用承認要求を受付けると、信用承認要求情報を情報処理装置２に送信する（ステップＳ３２）。端末装置３は、信用承認要求情報を情報処理装置２に送信する際、ステップＳ３１にて、ユーザから受付けたカード情報および購入商品情報も情報処理装置２に送信する。
【００４６】
端末装置３は、クレジットカード会社のウェブサイトから、ユーザのクレジットカードのカード情報と、購入商品情報とをクレジットカード会社の情報処理装置２に送信する。すなわち、ユーザのカード情報は、ＥＣ店舗の情報処理装置１を経由せずに、クレジットカード会社の情報処理装置２に送信される。従って、ユーザのカード情報は、ＥＣ店舗の情報処理装置１に保有されることがない。
【００４７】
次に、情報処理装置２は、端末装置３から信用承認要求情報を受信する（ステップＳ３３）。その際、情報処理装置２は、端末装置３から送信されたカード情報および購入商品情報も受信する。
【００４８】
次に、情報処理装置２は、ステップＳ３３にて受信したカード情報に基づいて、信用承認要求を行ったユーザの信用承認を行う（ステップＳ３４）。
【００４９】
次に、情報処理装置２は、信用承認要求を行ったユーザの信用承認が正当であった場合、ワンタイムの決済情報を発行する（ステップＳ３５）。その際、情報処理装置２は、発行した決済情報と、ステップＳ３３にて受信した購入商品情報とを対応付けて、記憶装置に記憶する。これにより、情報処理装置２が発行した決済情報は、どの購入商品情報に対して発行されたものかが分かる。
【００５０】
次に、情報処理装置２は、ステップＳ３５にて発行した決済情報を、端末装置３に送信する（ステップＳ３６）。
【００５１】
次に、端末装置３は、情報処理装置２から送信された決済情報を受信する（ステップＳ３７）。端末装置３は、受信した決済情報をディスプレイに表示する。これにより、ユーザは、情報処理装置２から発行された決済情報を用いて、ＥＣ店舗から購入したい商品の決済を行うことが可能となる。
【００５２】
次に、端末装置３は、ユーザから、決済要求を受付ける（ステップＳ４１）。その際、端末装置３は、ユーザから、ステップＳ１６にて、ディスプレイに表示された購入商品情報と、ステップＳ３７にて受信した決済情報とを受付ける。
【００５３】
次に、端末装置３は、ステップＳ４１にて、ユーザから、決済要求を受付けると、決済要求情報を情報処理装置１に送信する（ステップＳ４２）。端末装置３は、決済要求情報を情報処理装置１に送信する際、ステップＳ４１にて、ユーザから受付けた購入商品情報および決済情報も情報処理装置１に送信する。
【００５４】
次に、情報処理装置１は、端末装置３から送信された決済要求情報を情報処理装置２に転送する（ステップＳ４３）。その際、情報処理装置１は、端末装置３から送信される購入商品情報および決済情報も情報処理装置２に転送する。
【００５５】
次に、情報処理装置２は、情報処理装置１から転送される決済要求情報を受信する（ステップＳ４４）。その際、情報処理装置２は、情報処理装置１から転送される購入商品情報および決済情報も受信する。
【００５６】
次に、情報処理装置２は、ステップＳ４４にて受信した購入商品情報および決済情報に基づいて、決済認証を行う（ステップＳ４５）。例えば、情報処理装置２は、ステップＳ４４にて受信した購入商品情報および決済情報と、ステップＳ３５にて記憶装置に記憶した購入商品情報および決済情報とに基づいて、決済認証を行う。より具体的には、情報処理装置２は、ステップＳ４４にて受信した購入商品情報および決済情報の各々が、対応付けられて、記憶装置に記憶されているか否か判定し、決済認証を行う。情報処理装置２は、ステップＳ４４にて受信した購入商品情報および決済情報の各々が、対応付けられて、記憶装置に記憶されている場合、ユーザの決済は正当であると判定する。
【００５７】
次に、情報処理装置２は、ステップＳ４５の決済認証が正当であった場合、売上処理を行う（ステップＳ４６）。例えば、情報処理装置２は、ユーザが商品を購入したＥＣ店舗の口座に、商品の代金を振り込む。そして、情報処理装置２は、売上処理を行った旨を、情報処理装置１に送信する。
【００５８】
次に、情報処理装置１は、情報処理装置２からの売上処理の通知を受けて、売上登録処理および商品出荷処理を行う（ステップＳ４７）。例えば、情報処理装置１は、ユーザが購入した商品の代金が振り込まれたことを記憶装置に記憶する。また、情報処理装置１は、商品がユーザに送付されたときは、その日付を記憶装置に記憶する。情報処理装置１は、売上登録処理および商品出荷処理が終了すると、決済が終了した旨を端末装置３に送信する。
【００５９】
次に、端末装置３は、情報処理装置１から決済が終了した旨を受信する（ステップＳ４８）。端末装置３は、情報処理装置１から決済が終了した旨を受信すると、例えば、その情報をディスプレイに表示する。これにより、ユーザは、購入したい商品の購入が完了したことを認識できる。
【００６０】
このように、クレジットカード会社の情報処理装置２は、情報処理装置１を経由してカード情報を受信するのではなく、端末装置３からカード情報と購入商品情報とを受信する。そして、情報処理装置２は、受信したカード情報と購入商品情報とに基づいて、決済情報を発行して端末装置３に送信し、端末装置３から送信される購入商品情報と発行した決済情報とに基づいて、ユーザの購入しようとしている商品の決済認証を行う。
【００６１】
これにより、上記の決済システムでは、ユーザのカード情報が情報処理装置１に保有されることなく、商品取引を行うことができ、ユーザのカード情報が、例えば、ＥＣ店舗の情報処理装置１から流出して、悪用されるということが防止できる。
【００６２】
なお、情報処理装置１と端末装置３との通信には、例えば、ＳＬＬ通信を利用してもよい。また、情報処理装置２と端末装置３との通信には、例えば、ＳＬＬ通信を利用してもよい。これにより、例えば、装置間で送受信される購入商品情報や決済情報のセキュリティを確保することができる。
【００６３】
また、情報処理装置１と情報処理装置２との通信には、ＣＡＦＩＳを利用してもよい。これにより、例えば、ステップＳ４３の転送処理やステップＳ４６の売上処理の通知のセキュリティを確保することができる。
【００６４】
また、情報処理装置１は、ステップＳ４３にて、端末装置３からの決済要求情報を情報処理装置２に転送する際、端末装置３から情報処理装置２へ送信される決済情報を記憶してもよい。決済情報は、クレジットカードのカード情報ではなく、また、ワンタイムな情報（決済が１度限りにおいて有効な情報）なので、流出した場合でも、第三者による悪用を抑制することができる。
【００６５】
また、情報処理装置１は、複数あってもよい。そして、複数の情報処理装置１のそれぞれは、異なるＥＣ店舗によって管理されていてもよい。また、情報処理装置２も複数あってもよい。そして、複数の情報処理装置１のそれぞれは、異なるクレジットカード会社によって管理されていてもよい。
【００６６】
図４は、端末装置３の商品選択画面例を示した図である。図２のステップＳ３で説明したように、ユーザが端末装置３を用いて、ＥＣ店舗の情報処理装置１にログインすると、端末装置３のディスプレイには、ショッピング画面が表示される。端末装置３のユーザは、ショッピング画面にて、ＥＣ店舗の商品を閲覧し、購入したい商品を選ぶための画面へ進むと、端末装置３のディスプレイには、図４に示す画面１１ａが表示される。
【００６７】
ユーザは、画面１１ａの選択欄１１ａａにて、購入したい商品を選択する。そして、ユーザは、選択した商品の情報を情報処理装置１へ送信するため、ボタン１１ａｂを押下（クリック）する。すると、端末装置３は、選択欄１１ａａで選択された商品の情報を情報処理装置１へ送信する。図４の例の場合、ユーザは、購入したい商品として、「商品Ａ」を選択している。そして、端末装置３は、ボタン１１ａｂが押下されると、「商品Ａ」の情報を情報処理装置１に送信する。
【００６８】
図５は、端末装置３の購入商品情報の画面例を示した図である。図５に示す画面１１ｂは、例えば、端末装置３が図２のステップＳ１６の処理を実行すると、端末装置３のディスプレイに表示される。
【００６９】
例えば、情報処理装置１は、図２のステップＳ１４で説明したように、端末装置３から、ユーザの購入したい商品の情報を受信すると、受信した商品に関する購入商品情報を生成し、生成した購入商品情報を端末装置３に送信する。端末装置３は、情報処理装置１が生成した購入商品情報を受信すると（図２のステップＳ１５）、画面１１ｂをディスプレイに表示する（図２のステップＳ１６）。
【００７０】
端末装置３は、画面１１ｂの表示欄１１ｂａに、情報処理装置２から受信した購入商品情報を表示する。例えば、表示欄１１ｂａには、「商品Ａ」の購入商品情報が表示されている。より具体的には、表示欄１１ｂａには、「商品Ａ」を識別する情報と、「商品Ａ」の購入先であるＥＣ店舗を識別する情報とを含む「購入Ｎｏ．」が表示されている。また、表示欄１１ｂａには、「商品Ａ」の金額が表示されている。なお、表示欄１１ｂａに示す「１２３４５６７８９」の部分が、例えば、「商品Ａ」を識別する情報であり、表示欄１１ｂａに示す「Ｋ０００００００１」の部分が、例えば、「商品Ａ」の購入先のＥＣ店舗を識別する情報である。
【００７１】
端末装置３は、画面１１ｂの説明部１１ｂｂに、クレジットカード会社から「決済Ｎｏ．」（決済情報）を発行してもらい、発行してもらった「決済Ｎｏ．」を入力欄１１ｂｃに入力するように促す情報を表示する。これにより、ユーザは、クレジットカード会社の情報処理装置２にログインし、「商品Ａ」の決済を行うための、決済情報（決済Ｎｏ．）を取得しなければならないことを認識できる。
【００７２】
端末装置３は、ボタン１１ｂｄが押下されると、表示欄１１ｂａに表示された購入商品情報（商品を識別する情報および店舗を識別する情報を含む「決済Ｎｏ．」と、商品の「金額」）と、入力欄１１ｂｃに入力された「決済Ｎｏ．」とをＥＣ店舗の情報処理装置１へ送信する。
【００７３】
なお、図５では、まだ決済Ｎｏ．は、発行されていないため、入力欄１１ｂｃには、決済Ｎｏ．は入力されていない。従って、端末装置３は、例えば、ボタン１１ｂｄが押下されると、「エラー」等を表示する。
【００７４】
図６は、端末装置３の信用承認要求の画面例を示した図である。図６に示す画面１２ａは、端末装置３が図３のステップＳ２３の処理を実行すると、端末装置３のディスプレイに表示される。
【００７５】
例えば、図５で説明したように、ユーザは、ＥＣ店舗から商品を購入するのに、クレジットカード会社の情報処理装置２にログインして、「決済Ｎｏ．」を発行してもらう必要がある。端末装置３は、ユーザから、情報処理装置２へのログイン操作を受付け（図３のステップＳ２１）、情報処理装置２が信用承認要求画面の画面データを送信すると（図３のステップＳ２２）、画面１２ａをディスプレイに表示する（図３のステップＳ２３）。
【００７６】
端末装置３は、画面１２ａの説明部１２ａａに、ＥＣ店舗で生成された購入商品情報（購入Ｎｏ．および金額）を、入力欄１２ａｂに入力するよう促す情報を表示する。これにより、ユーザは、図５の表示欄１１ｂａに表示された購入Ｎｏ．「１２３４５６７８９−Ｋ０００００００１」と金額「１，２３４円」とを、画面１２ａの入力欄１２ａｂに入力すればよいことが分かる。
【００７７】
端末装置３は、画面１２ａの説明部１２ａｃに、ユーザのクレジットカードのカード番号と有効期限とを、入力欄１２ａｄ，１２ａｅに入力するよう促す情報を表示する。これにより、ユーザは、画面１２ａの入力欄１２ａｄ，１２ａｅに、クレジットカードのカード番号と有効期限とを入力すればよいことが分かる。
【００７８】
端末装置３は、ユーザによって、ボタン１２ａｆが押下されると、入力欄１２ａｂに入力された購入商品情報（商品を識別する情報と店舗を識別する情報とを含む購入Ｎｏ．および金額）と、入力欄１２ａｄに入力されたカード番号（ＰＡＮ情報）と、入力欄１２ａｅに入力された有効期限とを、情報処理装置２に送信する（図３のステップＳ３２）。
【００７９】
なお、情報処理装置２は、端末装置３から「購入商品情報」、「カード番号」、および「有効期限」を受信すると（図３のステップＳ３３）、ユーザのクレジットカードの信用承認を行い（図３のステップＳ３４）、決済情報を発行する（図３のステップＳ３５）。そして、情報処理装置２は、発行した決済情報を、端末装置３に送信する（図３のステップＳ３６）。
【００８０】
図７は、端末装置３の決済情報表示の画面例を示した図である。図７に示す画面１２ｂは、端末装置３が図３のステップＳ３７の処理を実行すると、端末装置３のディスプレイに表示される。例えば、端末装置３は、情報処理装置２から決済情報を受信すると、ディスプレイに画面１２ｂを表示する。
【００８１】
端末装置３は、画面１２ｂの表示欄１２ｂａに決済情報（決済Ｎｏ．）を表示する。図７の例の場合、ユーザが購入しようとしている商品の購入Ｎｏ．「１２３４５６７８９−Ｋ０００００００１」に対し、決済Ｎｏ．「０００００００１」が発行されている。
【００８２】
図８は、端末装置３の決済情報の入力画面例を示した図である。図８に示す画面１３ａは、図５に示した画面１１ｂと同じである。ただし、図８の画面１３ａは、図５の画面１１ｂに対し、入力欄１３ａａに「決済Ｎｏ．」が入力されているところが異なる。
【００８３】
ユーザは、情報処理装置２から決済Ｎｏ．が発行されると、発行された決済Ｎｏ．を入力欄１３ａａに入力する。図８の例では、ユーザが、図７の表示欄１２ｂａに表示された決済Ｎｏ．「０００００００１」を、画面１３ａの入力欄１３ａａに入力した例を示している。
【００８４】
端末装置３は、ユーザによって、ボタン１３ａｂが押下されると、入力欄１３ａａに入力された「決済Ｎｏ．」と、表示欄１３ａｃに表示されている「購入Ｎｏ．」および「金額」とを、ＥＣ店舗の情報処理装置１へ送信する（図３のステップＳ４２）。
【００８５】
なお、情報処理装置１は、端末装置３から送信された「決済Ｎｏ．」、「購入Ｎｏ．」、および「金額」を、情報処理装置２へ転送する（図３のステップＳ４３）。情報処理装置２は、情報処理装置１から転送された「決済Ｎｏ．」、「購入Ｎｏ．」、および「金額」を受信すると、決済認証（図３のステップＳ４５）および売上処理（図３のステップＳ４６）を行い、売上処理が終了した旨を情報処理装置１へ通知する。そして、情報処理装置１は、決済が終了した旨を端末装置３に通知する。
【００８６】
図９は、端末装置３の商品決済画面例を示した図である。図９に示す画面１３ｂは、端末装置３が図３のステップＳ４８の処理を実行すると、端末装置３のディスプレイに表示される。例えば、端末装置３は、情報処理装置１から決済が終了した旨を受信すると、ディスプレイに画面１３ｂを表示する。
【００８７】
端末装置３は、画面１３ｂの説明部１３ｂａに、決済が終了した旨を表示する。端末装置３は、ボタン１３ｂｂが押下されると、商品の購入処理を終了する。
【００８８】
図１０は、情報処理装置１の機能ブロックの一例を示した図である。図１０に示すように、情報処理装置１は、受信部２１と、購入商品情報生成部２２と、売上登録処理部２３と、送信部２４と、商品情報記憶部２５と、管理情報記憶部２６と、を有している。
【００８９】
受信部２１は、情報処理装置２および端末装置３からデータを受信する。
【００９０】
購入商品情報生成部２２は、受信部２１によって、端末装置３からユーザが購入しようとしている商品の情報が受信されると、受信した商品に関する購入商品情報を生成する。
【００９１】
売上登録処理部２３は、受信部２１によって、情報処理装置２から決済が終了した旨の通知が受信されると、売上登録処理を行う。また、売上登録処理部２３は、商品がユーザに送付されたとき、商品出荷処理を行う。
【００９２】
送信部２４は、情報処理装置２および端末装置３にデータを送信する。
【００９３】
商品情報記憶部２５は、ＥＣ店舗が取り扱っている商品の情報を記憶する。
【００９４】
管理情報記憶部２６は、ユーザが購入しようとしている商品に関する情報を記憶する。
【００９５】
図１１は、商品情報記憶部２５のデータ構成例を示した図である。図１１に示すように、商品情報記憶部２５は、商品Ｎｏ．２５ａと、商品名２５ｂと、金額２５ｃとを記憶する。
【００９６】
商品Ｎｏ．２５ａは、情報処理装置１を管理している、ＥＣ店舗が取り扱っている商品を識別する情報である。
【００９７】
商品名２５ｂは、情報処理装置１を管理している、ＥＣ店舗が取り扱っている商品の商品名称である。
【００９８】
金額２５ｃは、情報処理装置１を管理している、ＥＣ店舗が取り扱っている商品の金額である。
【００９９】
例えば、図１１に示す商品情報記憶部２５により、商品Ｎｏ．２５ａが「１２３４５６７８９」の商品名２５ｂは、「商品Ａ」であることが分かる。また、「商品Ａ」の金額２５ｃは、「１，２３４円」であることが分かる。
【０１００】
送信部２４は、例えば、図２のステップＳ２のショッピング画面送信の際、商品情報記憶部２５に記憶されている商品の情報を送信する。これにより、端末装置３は、ＥＣ店舗が取り扱っている商品の商品名２６ａや金額２５ｃをディスプレイに表示することができる。
【０１０１】
図１２は、管理情報記憶部２６のデータ構成例を示した図である。図１２に示すように、管理情報記憶部２６は、商品名２６ａと、ユーザＩＤ２６ｂと、購入商品情報２６ｃと、決済情報２６ｄと、決済要求情報２６ｅと、売上登録情報２６ｆと、商品発送情報２６ｇと、を記憶する。
【０１０２】
商品名２６ａは、ユーザが購入しようとしている商品の商品名である。
【０１０３】
ユーザＩＤ２６ｂは、商品を購入しようとしているユーザのユーザＩＤである。ユーザＩＤ２６ｂは、例えば、ユーザがＥＣ店舗の情報処理装置１にログインするとき（図２のステップＳ１）に用いられるユーザＩＤである。
【０１０４】
購入商品情報２６ｃは、ユーザが購入しようとしている商品に関する情報である。購入商品情報２６ｃは、店舗情報２６ｃａと、商品Ｎｏ．２６ｃｂと、金額２６ｃｃと、を有している。
【０１０５】
店舗情報２６ｃａは、ユーザが購入しようとしている商品の購入先の店舗を識別する情報である。
【０１０６】
商品Ｎｏ．２６ｃｂは、ユーザが購入しようとしている商品を識別する情報である。
【０１０７】
金額２６ｃｃは、ユーザが購入しようとしている商品の金額である。
【０１０８】
決済情報２６ｄは、ユーザが購入しようとしている商品に対し、情報処理装置２が発行した決済情報である。
【０１０９】
決済要求情報２６ｅは、ユーザが端末装置３を用いて、決済要求情報を情報処理装置２に送信したか否かを示す情報である。例えば、受信部２１は、図３のステップＳ４３にて、決済要求情報を受信すると、決済要求情報２６ｅを「有」にする。一方、受信部２１が、決済要求情報を受信していない場合は、例えば、決済要求情報２６ｅは、「無」となっている。
【０１１０】
売上登録情報２６ｆは、クレジットカード会社の情報処理装置２によって、商品の売上処理が行われたか否かを示す情報である。例えば、情報処理装置２が、図３のステップＳ４６にて売上処理を行い、その旨の通知を受信部２１が受信すると、売上登録処理部２３は、売上登録情報２６ｆを「済」する。一方、受信部２１が、売上処理を行った旨の情報を受信していない場合は、例えば、決済要求情報２６ｅは、「未」となっている。
【０１１１】
なお、売上登録情報２６ｆが「済」になると、それに対応する各情報は、商品を購入したユーザの情報となる。例えば、売上登録情報２６ｆが「済」となった購入商品情報２６ｃは、ユーザが購入した商品の購入商品情報となる。
【０１１２】
商品発送情報２６ｇは、ユーザが購入した商品の発送日を示す情報である。例えば、売上登録処理部２３は、ユーザが購入した商品がユーザに発送されると、その発送日をＥＣ店舗の従業員等から受付け、商品発送情報２６ｇを管理情報記憶部２６に記憶する。
【０１１３】
例えば、図１２に示す「商品Ａ」は、売上登録情報２６ｆが「済」となっている。従って、商品名２６ａが「商品Ａ」である商品は、ユーザＩＤ２６ｂが「ｘｘｘｘ」のユーザが購入した商品の商品名である。また、ユーザＩＤ２６ｂが「ｘｘｘｘ」のユーザが「商品Ａ」を購入するのに発行された決済情報２６ｄは、「０００００００１」であることが分かる。また、「商品Ａ」の発送日は、商品発送情報２６ｇより、「ａａ／ｂｂ／ｃｃ」であることが分かる。なお、「商品Ａ」の売上登録情報２６ｆが「未」であった場合は、「商品Ａ」は、ユーザが購入しようとしている商品の商品名２６ａを示していることになる。
【０１１４】
図１３は、情報処理装置２の機能ブロックの一例を示した図である。図１３に示すように、情報処理装置２は、受信部３１と、信用承認部３２と、決済情報発行部３３と、決済認証部３４と、売上処理部３５と、送信部３６と、記憶部３９と、を有している。
【０１１５】
受信部３１は、情報処理装置１および端末装置３からデータを受信する。受信部３１は、第１の受信部３１ａおよび第２の受信部３１ｂを有している。第１の受信部３１ａは、情報処理装置１が生成した、ユーザが購入しようとしている商品に関する購入商品情報と、ユーザのクレジットカードのカード情報とを、ユーザの端末装置３から受信する。第２の受信部３１ｂは、ユーザの端末装置３から送信される購入商品情報と決済情報とを受信する。
【０１１６】
信用承認部３２は、受信部３１が端末装置３から受信したユーザのクレジットカードのカード情報に基づいて、クレジットカードの信用承認を行う。
【０１１７】
決済情報発行部３３は、信用承認部３２の信用承認結果に基づいて、商品の決済を行うための決済情報を発行する。
【０１１８】
決済認証部３４は、受信部３１が受信した、端末装置３から送信された購入商品情報と決済情報とに基づいて、ユーザが購入しようとしている商品の決済認証を行う。
【０１１９】
売上処理部３５は、決済認証部３４の決済認証結果に基づいて、ＥＣ店舗の売上処理を行う。
【０１２０】
送信部３６は、情報処理装置１および端末装置３にデータを送信する。
【０１２１】
記憶部３９は、顧客情報記憶部３７と、決済情報記憶部３８と、有している。顧客情報記憶部３７は、ユーザのクレジットカードに関する情報を記憶する。
【０１２２】
決済情報記憶部３８は、端末装置３から受信したユーザのカード情報、ユーザが購入しようとしている商品の購入商品情報、および決済情報発行部３３が発行した決済情報を記憶する。
【０１２３】
図１４は、顧客情報記憶部３７のデータ構成例を示した図である。図１４に示すように、顧客情報記憶部３７は、ユーザＩＤ３７ａと、ＰＡＮ情報３７ｂと、カード有効期限３７ｃと、を記憶する。顧客情報記憶部３７に記憶されるこれらの情報は、例えば、ユーザがクレジットカード会社とクレジットカード契約を行ったときに記憶される。
【０１２４】
ユーザＩＤ３７ａは、クレジットカード契約を行ったユーザの識別情報である。ユーザは、例えば、ユーザＩＤ３７ａによって、図３のステップＳ２１で説明した、情報処理装置２へのログインを行うことができる。
【０１２５】
ＰＡＮ情報３７ｂは、ユーザが所有するクレジットカードのＰＡＮ情報を示す。
【０１２６】
カード有効期限３７ｃは、ユーザが所有するクレジットカードの有効期限を示す。
【０１２７】
例えば、図１３の信用承認部３２は、顧客情報記憶部３７を参照することにより、ユーザのクレジットカードの信用承認を行うことができる。より具体的には、図３のステップＳ２１にてログインしたユーザは、図３のステップＳ３２にて、信用承認要求情報を情報処理装置２に送信する。その際、ユーザのカード情報（ＰＡＮ情報および有効期限）は、情報処理装置２に送信され、情報処理装置２の受信部３１は、ユーザのカード情報を受信する。信用承認部３２は、図３のステップＳ２１にてログインしたユーザのユーザＩＤ３７ａと、受信部３１によって受信されたカード情報とに基づいて顧客情報記憶部３７を参照し、ユーザのクレジットカードの信用承認を行うことができる。
【０１２８】
図１５は、決済情報記憶部３８のデータ構成例を示した図である。図１５に示すように、決済情報記憶部３８は、ＰＡＮ情報３８ａと、決済情報３８ｂと、購入商品情報３８ｃと、を記憶する。
【０１２９】
ＰＡＮ情報３８ａは、ユーザが所有するクレジットカードのＰＡＮ情報を示す。
【０１３０】
決済情報３８ｂは、決済情報発行部３３が発行した決済情報である。
【０１３１】
購入商品情報３８ｃは、ユーザが購入しようとしている商品に関する情報である。購入商品情報３８ｃは、店舗情報３８ｃａと、商品Ｎｏ．３８ｃｂと、金額３８ｃｃと、を有している。
【０１３２】
店舗情報３８ｃａは、ユーザが購入しようとしている商品の購入先の店舗を識別する情報である。
【０１３３】
商品Ｎｏ．３８ｃｂは、ユーザが購入しようとしている商品を識別する情報である。
【０１３４】
金額３８ｃｃは、ユーザが購入しようとしている商品の金額である。
【０１３５】
例えば、端末装置３は、ユーザからの信用承認要求の受付けに応じて（図３のステップＳ３１）、信用承認要求情報を情報処理装置２に送信する（図３のステップＳ３２）。その際、端末装置３は、ユーザから受付けたカード情報と購入商品情報とを情報処理装置２に送信する。
【０１３６】
情報処理装置２の信用承認部３２は、端末装置３から送信されたカード情報に基づいて、信用承認要求を行ってきたユーザの信用承認を行う（図３のステップＳ３４）。決済情報発行部３３は、信用承認部３２によって、信用承認要求を行ってきたユーザが正当であると判定されると、信用承認要求を行ってきたユーザに対し、決済情報を発行する（図３のステップＳ３５）。そして、決済情報発行部３３は、発行した決済情報と、信用承認要求とともに送信されてきたユーザのカード情報（ＰＡＮ情報３８ａ）と、購入商品情報３８ｃとを対応付けて、決済情報記憶部３８に記憶する。
【０１３７】
なお、図１５では、カード情報のうちのＰＡＮ情報３８ａを決済情報記憶部３８に記憶しているが、有効期限も対応付けて記憶してもよい。
【０１３８】
また、決済情報記憶部３８は、カード情報（ＰＡＮ情報３８ａ）を記憶しなくてもよい。すなわち、決済情報発行部３３は、発行した決済情報３９ｂに対し、端末装置３から送信された購入商品情報３８ｃのみを対応付けて、決済情報記憶部３８に記憶するようにしてもよい。
【０１３９】
図１６は、情報処理装置１の購入商品情報の生成動作例を示したフローチャートである。ＥＣ店舗の情報処理装置１は、端末装置３から商品購入要求が送信されると（図２のステップＳ１２）、以下の処理を実行する。
【０１４０】
まず、受信部２１は、端末装置３から商品購入要求を受信する（ステップＳ５１）。受信部２１は、端末装置３から商品購入要求を受信する際、ユーザが選択した、購入しようとしている商品の情報も受信する。
【０１４１】
次に、購入商品情報生成部２２は、受信部２１によって受信された、ユーザが選択した商品に基づいて、購入商品情報を生成する（ステップＳ５２）。例えば、購入商品情報生成部２２は、ユーザが選択した商品を識別する情報（商品Ｎｏ．）と、商品の購入先である店舗を識別する情報（店舗情報）と、商品の金額と、を含む購入商品情報を生成する。
【０１４２】
次に、購入商品情報生成部２２は、ステップＳ５２にて生成した購入商品情報を管理情報記憶部２６に記憶する（ステップＳ５３）。その際、購入商品情報生成部２２は、ステップＳ５１にて受信された、ユーザが選択した商品の商品名２６ａと、商品を購入しようとしているユーザのユーザＩＤ２６ｂとを対応付けて、生成した購入商品情報２６ｃを管理情報記憶部２６に記憶する。
【０１４３】
次に、送信部２４は、ステップＳ５２にて、購入商品情報生成部２２によって生成された購入商品情報を、ユーザの端末装置３に送信する（ステップＳ５４）。
【０１４４】
これにより、端末装置３のユーザは、情報処理装置１によって生成された購入商品情報を用いて、クレジットカード会社の情報処理装置２から、商品の決済を行うための決済情報を発行してもらうことができる。
【０１４５】
図１７は、情報処理装置１の決済要求情報の転送、売上登録、および商品出荷処理の動作例を示したフローチャートである。ＥＣ店舗の情報処理装置１は、端末装置３から決済要求情報が送信されると（図３のステップＳ４２）、以下の処理を実行する。
【０１４６】
まず、受信部２１は、端末装置３から決済要求情報を受信する（ステップＳ６１）。その際、受信部２１は、端末装置３から送信される購入商品情報と決済情報とを受信する。
【０１４７】
次に、受信部２１は、受信した購入商品情報と決済情報とに基づいて、管理情報記憶部２６を更新する（ステップＳ６２）。例えば、受信部２１は、管理情報記憶部２６を参照し、受信した購入商品情報に対応する決済情報２６ｄの欄に、受信した決済情報を記憶する。また、受信部２１は、管理情報記憶部２６を参照し、受信した購入商品情報に対応する決済要求情報２６ｅを、「無」から、決済要求があったことを示す「有」に変更する。
【０１４８】
次に、送信部２４は、ステップＳ６１にて、受信された商品購入情報と決済情報とを、クレジットカード会社の情報処理装置２へ転送する（ステップＳ６３）。
【０１４９】
なお、情報処理装置２は、購入商品情報と決済情報とに基づいて決済認証を行い（図３のステップＳ４５）、売上処理を行うと、売上処理を行った旨の通知を情報処理装置１に対して行う（図３のステップＳ４６）。
【０１５０】
次に、受信部２１は、情報処理装置２から、売上処理の通知を受信する（ステップＳ６４）。
【０１５１】
次に、売上登録処理部２３は、ユーザが購入した商品の売上処理および商品出荷処理を行う（ステップＳ６５）。例えば、売上登録処理部２３は、管理情報記憶部２６の売上登録情報２６ｆを、「未」から、売上処理が行われたことを示す「済」に変更する。また、売上登録処理部２３は、商品がユーザに発送された場合、その発送日を示す商品発送情報２６ｇを管理情報記憶部２６に記憶する。
【０１５２】
次に、送信部２４は、決済が終了した旨を端末装置３に送信する（ステップＳ６６）。これにより、ユーザは、商品購入手続きが完了したことが分かる。
【０１５３】
このように、ＥＣ店舗の情報処理装置１は、ユーザのカード情報を記憶することなく、管理情報記憶部２６にて、ユーザが購入しようとしている商品またはユーザが購入した商品の情報を管理する。これにより、決済システムは、ユーザとクレジットカード会社以外の第三者に、カード情報が保有されないよう商品取引を行うことができる。
【０１５４】
図１８は、情報処理装置２の決済情報発行処理例を示したフローチャートである。クレジットカード会社の情報処理装置２は、端末装置３から信用承認要求が送信されると（図３のステップＳ３２）、以下の処理を実行する。
【０１５５】
まず、受信部３１は、端末装置３から、信用承認要求情報を受信する（ステップＳ７１）。その際、受信部３１は、端末装置３から送信されるカード情報と購入商品情報とを受信する。
【０１５６】
次に、信用承認部３２は、ステップＳ７１にて受信されたカード情報に基づいて、ユーザのクレジットカードの信用承認処理を行う（ステップＳ７２）。例えば、信用承認部３２は、ユーザがログインした際（図３のステップＳ２１）に用いたユーザＩＤ３７ａに基づいて、顧客情報記憶部３７を参照し、そのユーザＩＤ３７ａに対応するユーザのＰＡＮ情報３７ｂおよびカード有効期限３７ｃを取得する。信用承認部３２は、顧客情報記憶部３７から取得したユーザのＰＡＮ情報３７ｂおよびカード有効期限３７ｃと、受信部３１が受信したＰＡＮ情報３７ｂおよびカード有効期限３７ｃとを比較して、ユーザのクレジットカードの信用認証処理を行う。
【０１５７】
次に、信用承認部３２は、ステップＳ７２の信用承認処理に基づいて、クレジットカードの信用承認ができたか否か判定する（ステップＳ７３）。例えば、信用承認部３２は、ステップＳ７２の比較結果が一致した場合、クレジットカードの信用承認ができたと判定し、ステップＳ７４の処理へ移行する（Ｓ７３のｙｅｓ）。信用承認部３２は、ステップＳ７２の比較結果が一致しなかった場合、クレジットカードの信用承認ができなかったと判定し、ステップＳ７７の処理へ移行する（Ｓ７３のＮｏ）。
【０１５８】
決済情報発行部３３は、ステップＳ７３にて、信用承認部３２がクレジットカードの信用承認ができたと判定した場合、ワンタイムの決済情報を発行する（ステップＳ７４）。
【０１５９】
次に、決済情報発行部３３は、ステップＳ７４にて発行した決済情報を決済情報記憶部３８に記憶する（ステップＳ７５）。その際、決済情報発行部３３は、ステップＳ７１にて受信されたユーザのカード情報（ＰＡＮ情報３８ａ）と、購入商品情報３８ｃとを対応付けて、発行した決済情報３８ｂを決済情報記憶部３８に記憶する。
【０１６０】
次に、送信部３６は、ステップＳ７４にて発行された決済情報を端末装置３に送信する（ステップＳ７６）。
【０１６１】
ステップＳ７３にて、信用承認部３２がクレジットカードの信用承認ができなかったと判定した場合、送信部３６は、クレジットカードの信用承認ができなかった旨を端末装置３に送信する（ステップＳ７７）。
【０１６２】
このように、クレジットカード会社の情報処理装置２は、ユーザが商品の決済をするための決済情報を発行する。
【０１６３】
図１９は、情報処理装置２の決済処理例を示したフローチャートである。クレジットカード会社の情報処理装置２は、ＥＣ店舗の情報処理装置１から、端末装置３の決済要求情報が転送されると（図３のステップＳ４３）、以下の処理を実行する。
【０１６４】
まず、受信部３１は、情報処理装置１から、決済要求情報を受信する（ステップＳ８１）。その際、受信部３１は、情報処理装置１から転送される購入商品情報と決済情報とを受信する。
【０１６５】
次に、決済認証部３４は、ステップＳ８１にて受信された購入商品情報と決済情報とに基づいて、ユーザが購入しようとしている商品の決済認証処理を行う（ステップＳ８２）。例えば、決済認証部３４は、決済情報記憶部３８を参照し、受信部３１が受信した購入商品情報に対応する決済情報３８ｂを取得し、取得した決済情報３８ｂと、受信部３１が受信した決済情報とを比較して、ユーザが購入しようとしている商品の決済認証処理を行う。
【０１６６】
次に、決済認証部３４は、ステップＳ８２の決済認証処理に基づいて、ユーザの商品の決済認証が正当か否か判定する（ステップＳ８３）。例えば、決済認証部３４は、ステップＳ８２の比較結果が一致した場合、決済認証が正当であると判定し、ステップＳ８４の処理へ移行する（Ｓ８３のＹｅｓ）。決済認証部３４は、ステップＳ８２の比較結果が一致しない場合、決済認証が正当でないと判定し、ステップＳ８６の処理へ移行する（Ｓ８３のＮｏ）。
【０１６７】
売上処理部３５は、ステップＳ８３にて、決済認証部３４が決済認証を正当であると判定した場合、売上処理を行う（ステップＳ８４）。例えば、売上処理部３５は、ユーザが商品を購入したＥＣ店舗の口座に商品の代金を振り込む。
【０１６８】
なお、決済認証部３４は、売上処理部３５によって売上処理が行われると、売上処理が行われた商品のＰＡＮ情報３８ａ、決済情報３８ｂ、および購入商品情報３８ｃを決済情報記憶部３８から削除する。または、決済認証部３４は、売上処理が行われた商品の決済情報３８ｂを、例えば、売上処理が行われた旨を示す情報（例えば、「０」）に書き換えてもよい。これにより、決済情報３８ｂは、ワンタイムな情報とすることができる。
【０１６９】
次に、送信部３６は、売上処理を行った旨を、ＥＣ店舗の情報処理装置１に送信する（ステップＳ８５）。
【０１７０】
ステップＳ８３にて、決済認証部３４が決済認証を正当でないと判定した場合、送信部３６は、決済認証は不正当である旨を情報処理装置１に介して端末装置３に送信する（ステップＳ８６）。
【０１７１】
このように、クレジットカード会社の情報処理装置２は、ユーザのクレジットカードのカード情報ではなく、ワンタイムで発行した決済情報によって、ユーザが購入しようとしている商品の決済を行う。
【０１７２】
図２０は、情報処理装置のハードウェア構成例を示した図である。情報処理装置１は、例えば、図２０に示すような、ＣＰＵ（Central Processing Unit）等の演算装置４１と、ＲＡＭ（Random Access Memory）などの主記憶装置４２と、ＨＤＤ（Hard Disk Drive）等の補助記憶装置４３と、有線又は無線により通信ネットワークと接続するための通信インターフェイス（Ｉ／Ｆ）４４と、マウス、キーボード、タッチセンサーやタッチパネルなどの入力装置４５と、液晶ディスプレイなどの表示装置４６と、ＤＶＤ（Digital Versatile Disk）などの持ち運び可能な記憶媒体に対する情報の読み書きを行う読み書き装置４７と、を備えるコンピュータで実現することができる。
【０１７３】
例えば、図１０の受信部２１、購入商品情報生成部２２、売上登録処理部２３、および送信部２４の機能は、補助記憶装置４３などから主記憶装置４２にロードされた所定のプログラムを演算装置４１が実行することで実現される。受信部２１および送信部２４は、例えば、演算装置４１が通信Ｉ／Ｆ４４を利用することで実現される。商品情報記憶部２５および管理情報記憶部２６は、例えば、演算装置４１が主記憶装置４２または補助記憶装置４３を利用することで実現される。
【０１７４】
なお、上記の所定のプログラムは、例えば、読み書き装置４７により読み取られた記憶媒体からインストールされてもよいし、通信Ｉ／Ｆ４４を介してネットワークからインストールされてもよい。
【０１７５】
情報処理装置２についても上記と同様である。例えば、図１３の受信部３１、信用承認部３２、決済情報発行部３３、決済認証部３４、売上処理部３５、および送信部３６の機能は、補助記憶装置４３などから主記憶装置４２にロードされた所定のプログラムを演算装置４１が実行することで実現される。受信部３１および送信部３６は、例えば、演算装置４１が通信Ｉ／Ｆ４４を利用することで実現される。顧客情報記憶部３７および決済情報記憶部３８は、例えば、演算装置４１が主記憶装置４２または補助記憶装置４３を利用することで実現される。
【０１７６】
このように、クレジットカード会社の情報処理装置２の受信部３１は、ＥＣ店舗の情報処理装置１が生成した、ユーザが購入しようとしている商品に関する購入商品情報と、ユーザのクレジットのカード情報とを、ユーザの端末装置３から受信する。信用承認部３２は、受信部３１が受信したカード情報に基づいて、ユーザのクレジットカードの信用承認を行う。決済情報発行部３３は、信用承認部３２の信用承認結果に基づいて、商品の決済を行うための決済情報を発行する。決済情報記憶部３８は、決済情報発行部３３が発行した決済情報と、受信部３１が受信した購入商品情報とを対応付けて記憶する。送信部３６は、決済情報発行部３３の発行した決済情報をユーザの端末装置３に送信する。受信部３１は、ユーザの端末装置３から送信される購入商品情報と決済情報とを受信する。そして、決済認証部３４は、決済情報記憶部３８に記憶された購入商品情報および決済情報と、受信部３１によって受信された購入商品情報および決済情報とに基づいて、ユーザの商品の決済認証を行う。これにより、ユーザは、ユーザとクレジットカード会社以外であるＥＣ店舗に、カード情報が保有されないよう商品取引ができ、カード情報が悪用されるのを防止することができる。
【０１７７】
なお、上記では、情報処理装置１は、ユーザが購入しようとして選択した１つの商品に対し、１つの購入商品情報を生成するとしたが、ユーザが、例えば、１度に複数の商品を購入する場合、複数の商品に対し、１つのユニークな購入商品情報を生成してもよい。例えば、購入商品情報生成部２２は、ユーザが購入しようとして選択した複数の商品に対し、１つのユニークな商品Ｎｏ．を付与し、その商品Ｎｏ．と、ＥＣ店舗の情報と、複数の商品の合計金額とを含む購入商品情報を生成してもよい。
【０１７８】
また、情報処理装置１は、ＥＣ店舗から委託を受けた業者によって管理されていてもよい。また、その業者は、複数のＥＣ店舗から委託を受けていてもよい。
【０１７９】
また、上記のカード情報は、ＰＡＮ情報と有効期限とを含むとしたが、セキュリティコードを含んでいてもよい。すなわち、情報処理装置２は、セキュリティコードを含むカード情報に基づいて、決済情報を発行するようにしてもよい。
【０１８０】
また、購入商品情報には、商品の金額は含まれていなくてもよい。
【０１８１】
また、情報処理装置１は、管理情報記憶部２６に記憶した決済情報２６ｄを用いて、ＣＡＦＩＳにより、ユーザのクレジットカードの限度額等の問い合わせもできる。
【０１８２】
また、情報処理装置１の売上登録処理部２３は、情報処理装置２から、売上処理を行った旨を受信すると、管理情報記憶部２６の売上登録情報２６ｆを「済」にするとしたが、情報処理装置２から売上処理を行った旨を受信した日付を、売上登録情報２６ｆとして管理情報記憶部２６に記憶してもよい。
【０１８３】
［第２の実施の形態］
第２の実施の形態では、決済情報に有効期間を設ける。そして、クレジットカード会社の情報処理装置は、決済情報を発行してから所定日が経過すると、その決済情報を無効にする。第２の実施の形態では、第１の実施の形態と異なる部分について説明する。
【０１８４】
図２１は、第２の実施の形態に係る決済情報記憶部のデータ構成例を示した図である。図２１において、図１５と同じものには同じ符号が付してある。
【０１８５】
図２１に示すように、クレジットカード会社の情報処理装置２の決済情報記憶部５０は、決済情報発行日５１を記憶する。例えば、決済情報発行部３３は、図１８のステップＳ７５にて、決済情報を記憶する際、その日付を決済情報発行日５１として決済情報記憶部５０に記憶する。すなわち、決済情報発行部３３は、決済情報の発行日を決済情報発行日５１として決済情報記憶部５０に記憶する。
【０１８６】
決済認証部３４は、図１９のステップＳ８３の判定処理において、決済認証が正当であると判定しても、ステップＳ８１にて受信された決済情報の受信日が、決済情報発行日５１より所定の日にちが経過している場合、ステップＳ８６の処理へ移行する。すなわち、決済認証部３４は、決済情報を発行してから所定の日にちが経過した場合には、その決済情報は不正当であると判定する。そして、売上処理部３５は、売上処理を行わない。
【０１８７】
このように、決済認証部３４は、受信部３１によって決済情報が受信された日が、決済情報記憶部５０に記憶された日付より所定の日にちを経過していた場合、商品の決済は不正当であると判定する。これにより、決済システムは、決済情報が悪用されるのを防止することができる。
【０１８８】
［第３の実施の形態］
第１の実施の形態では、ユーザは、ＥＣ店舗が提供する画面（ウェブサイト）とは別に、クレジットカード会社の画面（ウェブサイト）を立ち上げた（図３のステップＳ２１）。第３の実施の形態では、ユーザがクレジットカード会社の画面を立ち上げなくても、ＥＣ店舗の画面において、商品取引を可能にする。第３の実施の形態では、第１の実施の形態と異なる部分について説明する。
【０１８９】
図２２は、第３の実施の形態に係るユーザ登録画面例を示した図である。端末装置３は、例えば、図２のステップＳ３の処理によって、ディスプレイに表示したショッピング画面に、ユーザ登録を行うためのボタンを表示する。端末装置３は、例えば、ショッピング画面に表示されたユーザ登録を行うためのボタンが押下されると、ディスプレイに画面６１ａを表示する。なお、画面６１ａの画像データは、ＥＣ店舗の情報処理装置１から送信される。
【０１９０】
端末装置３は、画面６１ａの説明部６１ａａに、ユーザが利用（契約）しているクレジットカード会社を選択するように促す情報を表示する。これにより、ユーザは、選択欄６１ａｂにおいて、利用しているクレジットカードのクレジットカード会社を選択すればよいことが分かる。
【０１９１】
端末装置３は、画面６１ａの説明部６１ａｃに、選択したクレジットカード会社の情報処理装置２にログインするためのログイン情報を入力するように促す情報を表示する。これにより、ユーザは、入力欄６１ａｄに、利用しているクレジットカードのログイン情報を入力すればよいことが分かる。
【０１９２】
端末装置３は、ユーザによって、ボタン６１ａｅが押下されると、選択欄６１ａｂで選択されたクレジットカード会社と、入力欄６１ａｄに入力されたクレジットカード会社のログイン情報とを、ＥＣ店舗の情報処理装置１に送信する。
【０１９３】
なお、画面６１ａでのユーザ登録は、１度行えばよい。情報処理装置１に送信された、選択欄６１ａｂで選択されたクレジットカード会社の情報と、入力欄６１ａｄに入力されたログイン情報は、情報処理装置１に記憶され、その後の情報処理装置２へのログインに用いられる。
【０１９４】
図２３は、端末装置３の購入商品情報の画面例を示した図である。図２３に示す画面６１ｂは、端末装置３が図２のステップＳ１６の処理を実行すると、端末装置３のディスプレイに表示される。
【０１９５】
例えば、情報処理装置１は、図２のステップＳ１４で説明したように、端末装置３から、ユーザの購入したい商品の情報を受信すると、受信した商品に関する購入商品情報を生成し、生成した購入商品情報を端末装置３に送信する。端末装置３は、情報処理装置１が生成した購入商品情報を受信すると（図２のステップＳ１５）、図２３の画面６１ｂをディスプレイに表示する（図２のステップＳ１６）。端末装置３は、画面６１ｂの表示欄６１ｂａに、情報処理装置１が生成した商品購入情報を表示する。
【０１９６】
画面６１ｂは、図５で説明した画面１１ｂに対し、決済Ｎｏ．（決済情報）を入力する入力欄１１ｂｃが表示されていない。第３の実施の形態では、以下で説明するように、ユーザは、情報処理装置２によって発行される「決済Ｎｏ．」を入力しなくて済むようになっている。
【０１９７】
端末装置３は、ボタン６１ｂｂが押下されると、ＥＣ店舗の情報処理装置１に対し、クレジットカード会社の情報処理装置２にログインするよう要求する。情報処理装置１は、端末装置３からの要求に応じて、図２２において登録された、ユーザが利用しているクレジットカード会社の情報と、ログイン情報とに基づいて、ユーザが利用しているクレジットカード会社の情報処理装置２にログインする。情報処理装置２の送信部３６は、情報処理装置１を介したユーザからのログインに応じて、カード情報を入力するための画面の画像データを端末装置３に送信する。
【０１９８】
図２４は、端末装置３のカード情報入力画面例を示した図である。図２４に示す画面６２ａは、図２３に示した画面６１ｂのボタン６１ｂｂが押下されると、端末装置３のディスプレイに表示される。画面６２ａの画像データは、情報処理装置２の送信部３６から送信される。
【０１９９】
画面６２ａは、例えば、ポップアップ画面としてディスプレイに表示される。従って、図２４には、図２３に示した画面６１ｂの一部も示してある。
【０２００】
端末装置３は、画面６２ａの説明部６２ａａに、ユーザにクレジットカードのカード情報を入力するように促す情報を表示する。これにより、ユーザは、入力欄６２ａｂにカード番号を入力し、入力欄６２ａｃに有効期限を入力すればよいことが分かる。
【０２０１】
端末装置３は、ボタン６２ａｄが押下されると、入力欄６２ａｂ，６２ａｃに入力されたカード番号と有効期限とを、情報処理装置１を経由せずに、情報処理装置２に送信する。その際、端末装置３は、画面６１ｂに表示されている購入商品情報も情報処理装置２に送信する。
【０２０２】
なお、情報処理装置２の信用承認部３２は、端末装置３から送信されたカード情報に基づいて、信用承認を行う。そして、決済情報発行部３３は、信用承認部３２によって、ユーザのクレジットカードの承認がされた場合、決済情報を発行し、端末装置３に送信する。
【０２０３】
図２５は、端末装置３の決済情報の通知画面例を示した図である。図２５に示す画面６２ｂは、図２４に示した画面６２ａのボタン６２ａｄが押下されると、端末装置３のディスプレイに表示される。
【０２０４】
図２４で説明したように、画面６２ａのボタン６２ａｄが押下され、情報処理装置２によって、ユーザのクレジットカードの信用承認が行われると、情報処理装置２の送信部３６から決済Ｎｏ．が送信される。端末装置３は、情報処理装置２から送信された決済Ｎｏ．を受信し、画面６２ｂの表示欄６２ｂａに表示する。
【０２０５】
端末装置３は、ボタン６２ｂｂが押下されると、表示欄６２ｂａに表示されている決済Ｎｏ．と、画面６２ｂの表示欄６２ｂｃに表示されている商品購入情報とを情報処理装置２に送信する。そして、情報処理装置２は、受信した決済Ｎｏ．と商品購入情報とに基づいて、決済認証を行う（ステップＳ４５）。
【０２０６】
このように、情報処理装置２の送信部３６は、端末装置３が、ＥＣ店舗の情報処理装置１が生成した購入商品情報を表示している画面６１ｂにおいて、画面６１ｂ上に表示されたボタン６１ｂｂが押下された場合、ユーザのカード情報を入力するための画面６２ａの画像データを端末装置３に送信する。これにより、ユーザは、ＥＣ店舗の画面とは別に、クレジットカード会社の画面を立ち上げずに、商品の取引を行うことができる。
【０２０７】
また、情報処理装置２の決済情報発行部３３が発行した決済情報は、図２５で説明したように、端末装置３のディスプレイ（画面６２ａの表示欄６２ｂａ）に表示される。従って、ユーザは、決済情報発行部３３が発行した決済情報を端末装置３に入力しなくても、ボタン６２ｂｂを押下することにより、決済情報を情報処理装置２に送信することができる。
【０２０８】
上述した情報処理装置１，２の機能構成は、情報処理装置１，２の構成を理解容易にするために、主な処理内容に応じて分類したものである。構成要素の分類の仕方や名称によって、本願発明が制限されることはない。情報処理装置１，２の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【０２０９】
また、上述したシーケンスおよびフローチャートの各処理単位は、情報処理装置１，２の処理を理解容易にするために、主な処理内容に応じて分割したものである。処理単位の分割の仕方や名称によって、本願発明が制限されることはない。情報処理装置１，２の処理は、処理内容に応じて、さらに多くの処理単位に分割することもできる。また、１つの処理単位がさらに多くの処理を含むように分割することもできる。
【０２１０】
以上、本発明について実施形態を用いて説明したが、本発明の技術的範囲は上記実施形態に記載の範囲には限定されない。上記実施形態に多様な変更または改良を加えることが可能であり、また、各実施の形態を組み合わせることが当業者には明らかである。また、そのような変更または改良を加えた形態も本発明の技術的範囲に含まれ得ることが、特許請求の範囲の記載から明らかである。また、本発明は、決済方法、決済処理を行うプログラム、当該プログラムを記憶した記憶媒体として提供することもできる。
【符号の説明】
【０２１１】
１，２：情報処理装置、３：端末装置、４：ネットワーク、５：カードネットワーク、１１ａ：画面、１１ａａ：選択欄、１１ａｂ：ボタン、１１ｂ：画面、１１ｂａ：表示欄、１１ｂｂ：説明部、１１ｂｃ：入力欄、１１ｂｄ：ボタン、１２ａ：画面、１２ａａ説明部、１２ａｂ：表示欄、１２ａｃ：説明部、１２ａｄ：入力欄、１２ａｅ：入力欄、１２ｂ：画面、１２ｂａ：表示欄、１３ａ：画面、１３ａａ：入力欄、１３ａｂ：ボタン、１３ａｃ：表示欄、１３ｂ：画面、１３ｂａ：説明部、１３ｂｂ：ボタン、２１：受信部、２２：購入商品情報生成部、２３：売上登録処理部、２４：送信部、２５：商品情報記憶部、２６：管理情報記憶部、３１：受信部、３１ａ：第１の受信部、３１ｂ：第２の受信部、３２：信用承認部、３３：決済情報発行部、３４：決済認証部、３５：売上処理部、３６：送信部、３７：顧客情報記憶部、３８：決済情報記憶部、３９：記憶部、５０：決済情報記憶部、５１：決済情報発行日、６１ａ：画面、６１ａｂ：選択欄、６１ｂ：画面、６１ｂａ：表示欄、６１ｂｂ：ボタン、６２ａ：画面、６２ａａ：説明部、６２ａｂ：入力欄、６２ａｃ：入力欄、６２ａｄ：ボタン、６２ｂｃ：表示欄。
【図１】
0006408293.tif 000002
【図２】
0006408293.tif 000003
【図３】
0006408293.tif 000004
【図４】
0006408293.tif 000005
【図５】
0006408293.tif 000006
【図６】
0006408293.tif 000007
【図７】
0006408293.tif 000008
【図８】
0006408293.tif 000009
【図９】
0006408293.tif 000010
【図１０】
0006408293.tif 000011
【図１１】
0006408293.tif 000012
【図１２】
0006408293.tif 000013
【図１３】
0006408293.tif 000014
【図１４】
0006408293.tif 000015
【図１５】
0006408293.tif 000016
【図１６】
0006408293.tif 000017
【図１７】
0006408293.tif 000018
【図１８】
0006408293.tif 000019
【図１９】
0006408293.tif 000020
【図２０】
0006408293.tif 000021
【図２１】
0006408293.tif 000022
【図２２】
0006408293.tif 000023
【図２３】
0006408293.tif 000024
【図２４】
0006408293.tif 000025
【図２５】
0006408293.tif 000026